【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
撮影光学系を有する光学装置の着脱が可能な撮像装置であって、
前記撮影光学系により形成された被写体像を光電変換して撮像信号を生成する撮像手段と、
位相差検出方式により第１の合焦位置を検出する第１の検出手段と、
前記撮像信号に基づいて、コントラスト検出方式により第２の合焦位置を検出する第２の検出手段と、
前記第１の合焦位置と前記第２の合焦位置との差分に基づいて、撮影時における前記第１の合焦位置を補正する補正手段と、
前記光学装置と通信可能であって、前記撮影光学系に含まれるフォーカスレンズの駆動を制御する制御手段を有し、
前記制御手段は、
前記第２の合焦位置の検出に際し、前記光学装置に対して前記フォーカスレンズに所定移動量の移動を行わせる指示を出力するとともに、前記光学装置から前記指示に応じた前記フォーカスレンズの実移動量の情報を取得し、
前記所定移動量と前記実移動量とが一致しないと判定したときは、前記所定移動量を変更して前記フォーカスレンズの移動を行わせる指示を再度、前記光学装置に対して出力することを特徴とする撮像装置。
【請求項２】
前記補正手段は、前記制御手段により前記所定移動量と前記実移動量とが一致すると判定されたときに前記コントラスト検出方式により検出された前記第２の合焦位置を用いて前記第１の合焦位置を補正することを特徴とする請求項１に記載の撮像装置。
【請求項３】
前記制御手段は、前記所定移動量と前記実移動量とが一致しないと判定したときは、前記所定移動量を増加させて前記フォーカスレンズの移動を行わせる指示を再度、前記光学装置に対して出力することを特徴とする請求項１又は２に記載の撮像装置。
【請求項４】
前記制御手段は、前記所定移動量を上限値まで変更しても該所定移動量と前記実移動量とが一致しないと判定したときは、前記補正を行わないことを示す情報を出力することを特徴とする請求項１から３のいずれか１項に記載の撮像装置。
【請求項５】
撮影時において前記補正手段による前記第１の合焦位置の補正を行うか否かをユーザに選択させる選択手段を有することを特徴とする請求項１から４のいずれか１項に記載の撮像装置。
【請求項６】
前記制御手段により前記所定移動量と前記実移動量とが一致すると判定されたときの前記所定移動量を、前記光学装置に関する情報とともに記憶する記憶手段を有することを特徴とする請求項１から５のいずれか１項に記載の撮像装置。
【請求項７】
撮影光学系を有する光学装置の着脱が可能であり、前記撮影光学系により形成された被写体像を光電変換して撮像信号を生成する撮像手段を有する撮像装置の制御方法であって、
位相差検出方式により第１の合焦位置を検出するステップと、
前記撮像信号に基づいて、コントラスト検出方式により第２の合焦位置を検出するステップと、
前記第１の合焦位置と前記第２の合焦位置との差分に基づいて、撮影時における前記第１の合焦位置を補正するステップと、
前記光学装置と通信し、前記撮影光学系に含まれるフォーカスレンズの駆動を制御するステップを有し、
前記第２の合焦位置の検出に際し、前記光学装置に対して前記フォーカスレンズに所定移動量の移動を行わせる指示を出力するとともに、前記光学装置から前記指示に応じた前記フォーカスレンズの実移動量の情報を取得し、
前記所定移動量と前記実移動量とが一致しないと判定したときは、前記所定移動量を変更して前記フォーカスレンズの移動を行わせる指示を再度、前記光学装置に対して出力することを特徴とする撮像装置の制御方法。
【手続補正２】
【補正対象書類名】明細書
【補正対象項目名】発明の名称
【補正方法】変更
【補正の内容】
【発明の名称】撮像装置およびその制御方法
【手続補正３】
【補正対象書類名】明細書
【補正対象項目名】０００９
【補正方法】変更
【補正の内容】
【０００９】
本発明の一側面としての撮像装置は、撮影光学系を有する光学装置の着脱が可能な撮像装置であって、前記撮影光学系により形成された被写体像を光電変換して撮像信号を生成する撮像手段と、位相差検出方式により第１の合焦位置を検出する第１の検出手段と、前記撮像信号に基づいて、コントラスト検出方式により第２の合焦位置を検出する第２の検出手段と、前記第１の合焦位置と前記第２の合焦位置との差分に基づいて、撮影時における前記第１の合焦位置を補正する補正手段と、前記光学装置と通信可能であって、前記撮影光学系に含まれるフォーカスレンズの駆動を制御する制御手段を有し、前記制御手段は、前記第２の合焦位置の検出に際し、前記光学装置に対して前記フォーカスレンズに所定移動量の移動を行わせる指示を出力するとともに、前記光学装置から前記指示に応じた前記フォーカスレンズの実移動量の情報を取得し、前記所定移動量と前記実移動量とが一致しないと判定したときは、前記所定移動量を変更して前記フォーカスレンズの移動を行わせる指示を再度、前記光学装置に対して出力することを特徴とする。
【手続補正４】
【補正対象書類名】明細書
【補正対象項目名】００１０
【補正方法】変更
【補正の内容】
【００１０】
また、本発明の他の一側面としての制御方法は、撮影光学系を有する光学装置の着脱が可能であり、前記撮影光学系により形成された被写体像を光電変換して撮像信号を生成する撮像手段を有する撮像装置の制御方法であって、位相差検出方式により第１の合焦位置を検出するステップと、前記撮像信号に基づいて、コントラスト検出方式により第２の合焦位置を検出するステップと、前記第１の合焦位置と前記第２の合焦位置との差分に基づいて、撮影時における前記第１の合焦位置を補正するステップと、前記光学装置と通信し、前記撮影光学系に含まれるフォーカスレンズの駆動を制御するステップを有し、前記第２の合焦位置の検出に際し、前記光学装置に対して前記フォーカスレンズに所定移動量の移動を行わせる指示を出力するとともに、前記光学装置から前記指示に応じた前記フォーカスレンズの実移動量の情報を取得し、前記所定移動量と前記実移動量とが一致しないと判定したときは、前記所定移動量を変更して前記フォーカスレンズの移動を行わせる指示を再度、前記光学装置に対して出力することを特徴とする。
【手続補正５】
【補正対象書類名】明細書
【補正対象項目名】００１８
【補正方法】変更
【補正の内容】
【００１８】
ファインダ光学系は、主ミラー４により反射された光により被写体像が形成されるピント板９と、該ピント板９上に形成された被写体像を反転させるペンタプリズム１０とを有する。また、ファインダ光学系は、ペンタプリズム１０からの光をユーザの眼に導いてピント板９上の被写体像を観察させる接眼レンズ１１を有する。撮影時やライブビュー表示時（撮影／ライブビュー観察状態）では、主ミラー４は、図３に示すように撮影光路から退避するアップ位置に回動する。これにより、撮影光学系からの光は、後述するシャッタ５および撮像素子６に向かう。
【手続補正６】
【補正対象書類名】明細書
【補正対象項目名】００１９
【補正方法】変更
【補正の内容】
【００１９】
シャッタ５は、撮影光学系からの光による撮像素子６の露光を制御する。実施例のシャッタ５は、フォーカルプレンシャッタであり、ファインダ観察状態では閉じ、撮影／ライブビュー観察状態にて開く。
撮像素子６は、ＣＭＯＳセンサやＣＣＤセンサにより構成された光電変換素子であり、被写体像を光電変換して撮像信号を出力する。撮像信号に対して後述する画像処理回路４４（図４参照）にて各種処理が行われ、画像信号が生成される。
【手続補正７】
【補正対象書類名】明細書
【補正対象項目名】００２１
【補正方法】変更
【補正の内容】
【００２１】
ＡＦユニット８は、反射ミラー８ａと、２次結像レンズ８ｂと、２次元方向に配置された複数の受光素子を含むエリアセンサ８ｃとにより構成されている。２次結像レンズ８ｂは、撮影光学系から入射して主ミラー４、サブミラー７および反射ミラー８ａにて反射した光に一対の被写体像を形成させる。
【手続補正８】
【補正対象書類名】明細書
【補正対象項目名】００３１
【補正方法】変更
【補正の内容】
【００３１】
ＡＦユニット８、焦点検出回路２６およびＭＰＵ２０により第１の検出手段が構成される。
【手続補正９】
【補正対象書類名】明細書
【補正対象項目名】００４３
【補正方法】変更
【補正の内容】
【００４３】
メモリコントローラ２１は、撮像素子６から出力され、ＣＤＳ／ＡＧＣ回路４０およびＡ／Ｄ変換器４１から出力された撮像信号を用いて、コントラスト検出方式によりフォーカスレンズ３ａの合焦位置を検出する。このコントラスト検出方式により検出される合焦位置（第２の合焦位置）を、以下の説明では、コントラスト合焦位置という。ＭＰＵ２０は、コントラスト合焦位置と前述した位相差合焦位置との差に基づいて、位相差合焦位置を補正するフォーカスキャリブレーションを行う。ＭＰＵ２０により、補正手段が構成される。
【手続補正１０】
【補正対象書類名】明細書
【補正対象項目名】００９１
【補正方法】変更
【補正の内容】
【００９１】
次に、ステップＳ１６５では、メモリコントローラ２１は、画像処理回路４４に、ＳＤＲＡＭ４３に一時的に記録された撮像信号に対して、ホワイトバランス補正、γ補正、エッジ強調等の画像処理を行って撮影画像データを生成させる。そして、メモリコントローラ２１は、画像圧縮／伸張回路４５に、撮影画像データをＪＰＥＧ等の形式に従って圧縮し、該圧縮された撮影画像データを記録メディア４８に記録させる。
【手続補正１１】
【補正対象書類名】明細書
【補正対象項目名】０１２９
【補正方法】変更
【補正の内容】
【０１２９】
続いて、ステップＳ２３０では、ＭＰＵ２０は、ユーザが液晶モニタ１２に表示されたライブビュー画像を見て被写体にピントが合っていると判定してマルチコントロールボタン３４で「ＯＫ」を選択する操作を行ったか否かを判定する。つまり、ユーザがＣＡＬ補正量を採用すると決定したか否かを判定する。このとき、ユーザは電子ダイヤル３３やマルチコントロールボタン３４を操作してライブビュー画像の一部を拡大表示させることが可能となっており、これによりピントが合っているか否かの詳細な確認を容易に行うことができる。「ＯＫ」が選択されたときはステップＳ２３１に進む。「ＯＫ」が選択されなかったとき（マルチコントロールボタン３４で「ＮＧ」を選択する操作を行ったとき）は、ステップＳ２３４に進む。
【手続補正１２】
【補正対象書類名】明細書
【補正対象項目名】０１３３
【補正方法】変更
【補正の内容】
【０１３３】
さらに、ステップＳ２３３では、ＭＰＵ２０は、ステップＳ２１３にてピーク位置の検出ができたときの駆動ステップ量Ｎを最適駆動ステップ量αとしてＥＥＰＲＯＭ２２に記憶する。このとき、使用している交換レンズ３に関する情報（レンズ種類、焦点距離、Ｆナンバー、個体識別番号等）も、最適駆動ステップ量αとともに（言い換えれば、最適駆動ステップ量αに関連付けて）記憶させる。そしてキャリブレーションモードを終了する。